(57)【要約】【課題】扉板のコストを低減しながら、各ユニットの外観が揃って見栄えがよくなる。【解決手段】平面視五角形状のコーナーユニット１０は、前面開口部１６の一部に幕板１２が取り付けられ、前面開口部１６の残りの部分がコーナー扉板１１が開閉自在とされる。平面視四角形状のサイドユニット１０Ａの前面開口部１７にサイド扉板１４が開閉自在に取り付けられ、コーナー扉板１１とサイド扉板１４の扉幅Ｎが同一とされ、且つコーナーユニット１０に幕板１２を設けたことで、正面視で、上記コーナーユニット１０の幅Ｍがサイドユニット１０Ａの幅Ｍと同一となっている。【選択図】図１
2010119795.tif 000002
【特許請求の範囲】
【請求項１】
前面が開口した平面視五角形状のコーナーユニットと前面が開口した平面視四角形状のサイドユニットとが、平面視略Ｌ型に組み合わされた収納システムであって、
上記平面視五角形状のコーナーユニットは、コーナー部の側壁面側に位置する一方の側板の前端部を前面開口部を挟んで対向する他方の側板の前端部よりも前方に突出させることにより、前面開口部がコーナー部の後壁面に対して傾斜しており、上記前方に突出している一方の側板の前端部に、コーナー部の後壁面と平行に幕板を取り付け、該幕板にて前面開口部の一部を覆うと共に、前面開口部の残りの部分をコーナー扉板にて開閉自在としてあり、
上記平面視四角形状のサイドユニットの前面開口部はサイド扉板にて開閉自在とされ、上記コーナー扉板とサイド扉板の扉幅がそれぞれ同一幅とされ、且つ、コーナー部の後壁面に対して直交する方向から見てコーナーユニットとサイドユニットのユニット幅が同一幅となるようにコーナーユニットの上記幕板の幅寸法が設定されていることを特徴とする収納システム。
【請求項２】
上記コーナーユニット及びサイドユニットがそれぞれ天袋であり、コーナーユニットの下方の床側のコーナー部に、平面視でコーナーユニットと相似形の平面視五角形状のＴＶ台が配置されてなることを特徴とする請求項１記載の収納システム。
【発明の詳細な説明】
【技術分野】
【０００１】
本発明は、収納システムに関し、詳しくはコーナーユニットとサイドユニットとを
横方向に隣接配置する構造に関するものである。
【背景技術】
【０００２】
従来から、天袋として使用される収納システムは、部屋のコーナー部の側壁面と後壁面とに沿って配置される前方に開口した平面視五角形状のコーナーユニットと、コーナー部の後壁面と並行な壁面に沿って配置される前方に開口した平面視四角形状のサイドユニットとを横方向に隣接配置している（例えば、特許文献１参照）。
【０００３】
ところが、コーナーユニットの前面開口部は後壁面に対して傾斜していて、部屋側に向かって正面向きとなるように斜めに配置されるため、サイドユニットのサイド扉板と同じ幅の扉板をコーナー扉板としてコーナーユニットの前面開口部に設けた場合、後壁面と直交する方向の正面視でコーナーユニットの幅がサイドユニットの幅よりも短くなり、外観が不揃いとなり、見栄えが悪くなるという問題がある。そこで、正面視でコーナーユニットの幅をサイドユニットと同一幅にしようとする場合は、コーナーユニットのコーナー扉板の幅をサイド扉板よりも幅広のものを用いなければならず、扉板の共用化ができず、コストが高くつくという問題が生じる。
【特許文献１】特許第２６７６８３４号公報
【発明の開示】
【発明が解決しようとする課題】
【０００４】
本発明は上記の従来の問題点に鑑みて発明したものであって、扉板のコストを低減しながら、各ユニットの外観が揃って見栄えがよくなる収納システムを提供することにある。
【課題を解決するための手段】
【０００５】
前記の課題を解決するために、本発明は、前面が開口した平面視五角形状のコーナーユニット１０と前面が開口した平面視四角形状のサイドユニット１０Ａとが、平面視略Ｌ型に組み合わされた収納システムであって、
上記平面視五角形状のコーナーユニット１０は、コーナー部２の側壁面３側に位置する一方の側板１３の前端部を前面開口部１６を挟んで対向する他方の側板１５の前端部よりも前方に突出させることにより、前面開口部１６がコーナー部２の後壁面４に対して傾斜しており、上記前方に突出している一方の側板１３の前端部に、コーナー部２の後壁面４と平行に幕板１２を取り付け、該幕板１２にて前面開口部１６の一部を覆うと共に、前面開口部１６の残りの部分をコーナー扉板１１にて開閉自在としてあり、
上記平面視四角形状のサイドユニット１０Ａの前面開口部１７はサイド扉板１４にて開閉自在とされ、上記コーナー扉板１１とサイド扉板１４の扉幅Ｎがそれぞれ同一幅とされ、且つ、コーナー部２の後壁面４に対して直交する方向から見てコーナーユニット１０とサイドユニット１０Ａのユニット幅Ｍが同一幅となるようにコーナーユニット１０の上記幕板１４の幅寸法が設定されていることを特徴としている。
【０００６】
このような構成とすることで、コーナーユニット１０に幕板１２を取り付けることで、コーナー扉板１１の扉幅Ｎをサイド扉板１４の扉幅Ｎと同一にした場合でも、後壁面４と直交する方向からみればコーナーユニット１０のユニット幅Ｎとサイドユニット１０Ａのユニット幅Ｎとが同一幅に揃えられるようになり、外観が揃って見栄えがよくなると共に、扉板の共用化が可能となる。
【０００７】
また上記コーナーユニット１０及びサイドユニット１０Ａがそれぞれ天袋であり、コーナーユニット１０下方の床側のコーナー部に、平面視でコーナーユニット１０と相似形の平面視五角形状のＴＶ台１が配置されるのが好ましく、この場合、天袋のコーナーユニット１０と床のＴＶ台１の正面形状がデザイン的に揃うようになり、部屋の外観向上を図ることができる。
【発明の効果】
【０００８】
本発明は、コーナーユニットの前面開口部の一部に幕板を設けることで、コーナー扉板とサイド扉板の扉幅を同一とした場合でも、正面視でコーナーユニットとサイドユニットのユニット幅が同一に揃えられ、結果、扉板のコストを低減しながら、各ユニットの外観が揃って見栄えがよくなるものである。
【発明を実施するための最良の形態】
【０００９】
以下、本発明を添付図面に示す実施形態に基いて説明する。
【００１０】
本実施形態の収納システムは、図１に示すように、部屋のコーナー部２の側壁面３と後壁面４とに沿って配置される前方に開口した平面視五角形状のコーナーユニット１０と、コーナー部２の後壁面４と並行な壁面に沿って配置される前方に開口した平面視四角形状のサイドユニット１０Ａとが横方向に隣接配置されている。なお図１中の３０は小物ラックユニット、４０はＴＶ、４５は中央側の収納ボックス、４６は収納ラックである。
【００１１】
上記平面視五角形状のコーナーユニット１０は、図６に示すように、コーナー部２の側壁面３側の一方の側板１３の前端部が他方の側板１５の前端部よりも前方に突出することで前面開口部１６が後壁面３に対して傾斜している。該一方の側板１３の前端部には前面開口部１６の一部を覆う幅Ｌの幕板１２が取り付けられると共に前面開口部１６の残りの部分にコーナー扉板１１が開閉自在に取り付けられる。
【００１２】
一方、上記平面視四角形状のサイドユニット１０Ａの前面開口部１７には、サイド扉板１４が開閉自在に取り付けられている。図６の１８,１９はサイドユニット１０Ａの両側板である。
【００１３】
ここで本発明においては、図２に示すように、コーナー扉板１１の扉幅Ｍ・高さとサイド扉板１４の扉幅Ｍ・高さが同一とされており、且つ、コーナーユニット１０に上記幕板１２を設けることで、コーナー部２の後壁面４と直交する前方Ａからみた正面視で、上記コーナーユニット１０の幅Ｍ・高さがサイドユニット１０Ａの幅Ｍ・高さと同一となっている。
【００１４】
しかして、コーナーユニット１０に幕板１２を取り付けることで、コーナー扉板１１の幅Ｎをサイド扉板１４と同じ幅Ｎにした場合でも、後壁面４と直交する前方Ａからみた正面視でコーナーユニット１０の幅Ｍ・高さとサイドユニット１０Ａの幅Ｍ・高さとを同一に揃えることができ、外観が揃って見栄えがよくなる。しかも扉板の共用化ができるため、コストを低減することができる。
【００１５】
また本例では、図２に示すように、上記コーナーユニット１０及びサイドユニット１０Ａがそれぞれ天袋であり、平面視五角形状のコーナーユニット１０下方の床面に平面視五角形状のＴＶ台１が配置され、平面視でコーナーユニット１０の正面形状とＴＶ台１の正面形状とが揃うように構成してある。
【００１６】
ＴＶ台１は、図４に示すように、前面開口部６を扉２０にて開閉するキャビネット本体５と、キャビネット本体５と隣接配置されるサイドキャビネット２２と、上記キャビネット本体５のサイドキャビネット２２側と反対側に配置される側板７と、側板７の上部からキャビネット本体５の上部及びサイドキャビネット２２の上部に跨って覆うＴＶ載置用の平面視略Ｌ型の天板９とで構成されている。天板９は平面視五角形部に隣接して平面視四角形部９Ａが連続して形成されており、サイドキャビネット２２の位置によって図５（ａ）又は（ｂ）に示す天板９を選択して使用できる。図４中の４１はＴＶ用配線キャップが装着される配線切欠孔、２０はフラップダウン扉、２２ａはサイドキャビネット２２の扉である。本例では、側板７は化粧パネルとして機能する。
【００１７】
このように、コーナーユニット１０及びサイドユニット１０Ａがそれぞれ天袋であり、平面視五角形状のコーナーユニット１０下方の床側のコーナー部にコーナーユニット１０と相似形の平面視五角形状のＴＶ台１が配置される。この五角形ＴＶ台１の天板９は五角形天板部９Ａと四角形天板部９Ｂとが平面視略Ｌ型に連続して形成されている。五角形天板部９Ａは、コーナー部２の直交する壁面３,４に沿う背部二辺９ａ,９ｂと、壁面３,４に対して傾斜した正面側に配置される前部斜辺９ｄと、前部斜辺９ｄの左右両側に位置する側部二辺９ｃ,９ｅとを有する。四角形天板部９の一辺は、五角形天板部９Ａの側部の二辺９ｅと同一幅で連なる。９ｈは背部辺、９ｇは側部辺、９ｆは前部辺である。これにより、図２に示すように、平面視でコーナーユニット１０の正面形状とＴＶ台１の正面形状とを揃えることが可能となり、天袋と床のＴＶ台１とがデザイン的に揃うようになり、部屋の外観がより向上するものである。
【００１８】
前記実施形態では部屋の右側のコーナー部２に配置される例を示したが、例えば、図３に示すように、収納システムを部屋の左側のコーナー部２に左右対称的に配置することもできる。この場合も図１、図２の場合と同様な利点が得られる。
【００１９】
また前記実施形態では、収納システムとして天袋を例示したが、床面に設置されるＴＶ台１や収納キャビネット等にも広く適用できるものである。
【図面の簡単な説明】
【００２０】
【図１】本発明の収納システムの実施形態を説明する正面図である。
【図２】同上の収納システムの寸法を説明する平面図である。
【図３】図２と左右対称的に収納システムを配置した場合の説明図である。
【図４】同上の収納システムの下方に配置されるＴＶ台の斜視図である。
【図５】（ａ）（ｂ）は同上のＴＶ台の天板の左仕様と右仕様の説明図である。
【図６】同上のコーナーユニットとサイドユニットの概略平面図である。
【符号の説明】
【００２１】
１  ＴＶ台
２  コーナー部
３  側壁面
４  後壁面
１０  コーナーユニット
１０Ａ  サイドユニット
１１  コーナー扉板
１２  幕板
１３  一方の側板
１４  サイド扉板
１５  他方の側板
１６  コーナーユニットの前面開口部
１７  サイドユニットの前面開口部
Ｌ  幕板幅
Ｍ  ユニット幅
Ｎ  扉幅
【図１】
2010119795.tif 000003
【図２】
2010119795.tif 000004
【図３】
2010119795.tif 000005
【図４】
2010119795.tif 000006
【図５】
2010119795.tif 000007
【図６】
2010119795.tif 000008